(57)【要約】【課題】把手を内部に配置し、美観が優れ、またいたずらにより破損を防止したエレベータの三方枠装置を提供する。【解決手段】この発明に係るエレベータの三方枠装置は、扉部８には、第２の固定部１２に対面するとともに軸１４により扉部８に支持された把手１５が設けられ、  この把手１５は、軸１４を中心にシーソ回動し、自重により、第２の固定部１２に設けられた突起１６に係止する切り欠き部１９を有し、  扉部８は、切り欠き部１９が突起１６に係止して扉部８の閉じられた状態が保持され、  扉部８の開放は、薄板状の治具２１の先端部を第２の固定部１２と扉部８との隙間から挿入して、軸１４を中心に把手１５を回動させ、切り欠き部１９の突起１６に対する係止を解除させることで可能にしたものである。【選択図】図６
2012035985.tif 000002
【特許請求の範囲】
【請求項１】
左右両側に立設された第１の縦枠、第２の縦枠、第１の縦枠及び第２の縦枠の上部間で両者を連結して設けられた上枠を有して乗場とともに乗場出入口を形成し、
前記第１の縦枠は、開口部を有する第１の固定部と、この第１の固定部に回動可能に設けられ前記開口部を塞ぐ扉部と、前記第１の固定部及び隣接した乗場壁にそれぞれ固定された第２の固定部とを備えたエレベータの三方枠装置であって、
前記扉部には、前記第２の固定部に対面するとともに支点により扉部に支持された把手が設けられ、
この把手は、前記支点を中心にシーソ回動し、自重により、前記第１の固定部または前記第２の固定部に設けられた突起に係止する切り欠き部を有し、
前記扉部は、前記切り欠き部が前記突起に係止して扉部の閉じられた状態が保持され、
前記扉部の開放は、薄板状の治具の先端部を前記第２の固定部と扉部との隙間から挿入して、前記支点を中心に前記把手を回動させ、前記切り欠き部の前記突起に対する係止を解除させることで可能にしたことを特徴とするエレベータの三方枠装置。
【請求項２】
左右両側に立設された第１の縦枠、第２の縦枠、第１の縦枠及び第２の縦枠の上部間で両者を連結して設けられた上枠を有して乗場とともに乗場出入口を形成し、
前記第１の縦枠は、開口部を有する第１の固定部と、この第１の固定部に回動可能に設けられ前記開口部を塞ぐ扉部と、前記第１の固定部及び隣接した乗場壁にそれぞれ固定された第２の固定部とを備えたエレベータの三方枠装置であって、
前記扉部に設けられ、前記第２の固定部に対面するとともに支点により扉部に支持され支点を中心にシーソ回動する把手と、
この把手の上部に一端部が回動自在に設けられ上方向に延びた第１のリンクと、
この第１のリンクの他端部及び前記扉部にそれぞれ回動自在に設けられ、前記第１の固定部または前記第２の固定部に設けられ第１の突起に係止する第１の切り欠き部を有する第１の係止部材と、
前記把手の上部に一端部が回動自在に設けられ下方向に延びた第２のリンクと、
この第２のリンクの他端部及び前記扉部にそれぞれ回動自在に設けられ、前記第１の固定部または前記第２の固定部に設けられた第２の突起に係止する第２の切り欠き部を有する第２の係止部材とを備え、
前記扉部は、前記把手の自重により前記第１のリンク及び前記第２のリンクが垂直方向に起立し、前記第１の切り欠き部が前記第１の突起に係止し、前記第２の切り欠き部が前記第２の突起に係止して閉じられた状態が保持され、
前記扉部の開放は、薄板状の治具の先端部を前記第２の固定部と扉部との隙間から挿入して、前記支点を中心に前記把手を回動させ、第１のリンク、第１の係止部材を介して前記第１の切り欠き部の前記第１の突起に対する係止を解除し、また第２のリンク、第２の係止部材を介して前記第２の切り欠き部の前記第２の突起に対する係止を解除することで可能にしたことを特徴とするエレベータの三方枠装置。
【請求項３】
前記扉部と、前記第１の固定部の前記開口部との間には、開口部を覆った扉部を保持する保持手段が設けられていることを特徴とする請求項１または２に記載のエレベータの三方枠装置。
【請求項４】
前記保持手段は、前記第１の固定部の前記開口部に設けられた取付台と、この取付台に固定された永久磁石とを備え、鋼板製の前記扉部は、裏面に永久磁石が密着して扉部が閉じられていることを特徴とする請求項３に記載のエレベータの三方枠装置。
【発明の詳細な説明】
【技術分野】
【０００１】
この発明は、左右両側に立設された第１の縦枠、第２の縦枠、第１の縦枠及び第２の縦枠の上部間で両者を連結して設けられた上枠を備え、乗場とともに乗場出入口を形成したエレベータの三方枠装置に関するものである。
【背景技術】
【０００２】
従来のエレベータの三方枠装置として、縦枠の一部に開閉自在に扉部を設けることにより、扉部を開けて縦枠内に設置された制御装置等の操作点検を行うものが知られている（特許文献１参照）。
このものでは、扉部を開閉するに際しては、把手を用いて行っている。
【先行技術文献】
【特許文献】
【０００３】
【特許文献１】特開２００２-１６０８７９号公報
【発明の概要】
【発明が解決しようとする課題】
【０００４】
しかしながら、上記把手は、外部から見えやすい箇所に設けられているので、美観が悪く、またいたずらにより把手が破損されやすいという問題点があった。
【０００５】
この発明は、上記のような問題点を解決することを課題とするものであって、把手を内部に配置し、美観が優れ、またいたずらにより破損を防止できるエレベータの三方枠装置を提供する。
【課題を解決するための手段】
【０００６】
この発明に係るエレベータの三方枠装置は、左右両側に立設された第１の縦枠、第２の縦枠、第１の縦枠及び第２の縦枠の上部間で両者を連結して設けられた上枠を有して乗場とともに乗場出入口を形成し、
前記第１の縦枠は、開口部を有する第１の固定部と、この第１の固定部に回動可能に設けられ前記開口部を塞ぐ扉部と、前記第１の固定部及び隣接した乗場壁にそれぞれ固定された第２の固定部とを備えたエレベータの三方枠装置であって、
前記扉部には、前記第２の固定部に対面するとともに支点により扉部に支持された把手が設けられ、
この把手は、前記支点を中心にシーソ回動し、自重により、前記第１の固定部または前記第２の固定部に設けられた突起に係止する切り欠き部を有し、
前記扉部は、前記切り欠き部が前記突起に係止して扉部の閉じられた状態が保持され、
前記扉部の開放は、薄板状の治具の先端部を前記第２の固定部と扉部との隙間から挿入して、前記支点を中心に前記把手を回動させ、前記切り欠き部の前記突起に対する係止を解除させることで可能にしたものである。
【０００７】
また、この発明に係るエレベータの三方枠装置は、左右両側に立設された第１の縦枠、第２の縦枠、第１の縦枠及び第２の縦枠の上部間で両者を連結して設けられた上枠を有して乗場とともに乗場出入口を形成し、
前記第１の縦枠は、開口部を有する第１の固定部と、この第１の固定部に回動可能に設けられ前記開口部を塞ぐ扉部と、前記第１の固定部及び隣接した乗場壁にそれぞれ固定された第２の固定部とを備えたエレベータの三方枠装置であって、
前記扉部に設けられ、前記第２の固定部に対面するとともに支点により扉部に支持され支点を中心にシーソ回動する把手と、
この把手の上部に一端部が回動自在に設けられ上方向に延びた第１のリンクと、
この第１のリンクの他端部及び前記扉部にそれぞれ回動自在に設けられ、前記第１の固定部または前記第２の固定部に設けられ第１の突起に係止する第１の切り欠き部を有する第１の係止部材と、
前記把手の上部に一端部が回動自在に設けられ下方向に延びた第２のリンクと、
この第２のリンクの他端部及び前記扉部にそれぞれ回動自在に設けられ、前記第１の固定部または前記第２の固定部に設けられた第２の突起に係止する第２の切り欠き部を有する第２の係止部材とを備え、
前記扉部は、前記把手の自重により前記第１のリンク及び前記第２のリンクが垂直方向に起立し、前記第１の切り欠き部が前記第１の突起に係止し、前記第２の切り欠き部が前記第２の突起に係止して閉じられた状態が保持され、
前記扉部の開放は、薄板状の治具の先端部を前記第２の固定部と扉部との隙間から挿入して、前記支点を中心に前記把手を回動させ、第１のリンク、第１の係止部材を介して前記第１の切り欠き部の前記第１の突起に対する係止を解除し、また第２のリンク、第２の係止部材を介して前記第２の切り欠き部の前記第２の突起に対する係止を解除することで可能にしたものである。
【発明の効果】
【０００８】
この発明に係るエレベータの三方枠装置によれば、扉部が閉じているときには、把手は扉部と第２の固定部との間の隙間に配置されているので、美観が優れ、またいたずらにより破損が防止される。
【図面の簡単な説明】
【０００９】
【図１】この発明の実施の形態１のエレベータの三方枠装置を示す正面図である。
【図２】図１のＩＩ-ＩＩ線に沿った矢視断面図である。
【図３】図２の扉部が開いた状態を示す図である。
【図４】図１のＩＶ-ＩＶ線に沿った矢視断面図である。
【図５】図４の正面図である。
【図６】図４の把手の使用態様を示す図である。
【図７】図６の正面図である。
【図８】この発明の実施の形態２のエレベータの三方枠装置を示す要部側断面図である。
【図９】図８の正面図である。
【図１０】図８の把手の使用態様を示す図である。
【図１１】図１０の正面図である。
【図１２】図８の扉部が閉じた状態を示す図である。
【図１３】図８の扉部が開いた状態を示す図である。
【図１４】この発明の実施の形態３のエレベータの三方枠装置を示す要部平断面図である。
【図１５】図１４の側断面図である。
【図１６】図１５の正面図である。
【発明を実施するための形態】
【００１０】
以下、この発明の各実施の形態について図に基づいて説明するが、各図において同一または相当部材、部位については、同一符号を付して説明する。
【００１１】
図１はこの発明の実施の形態１のエレベータの三方枠装置（以下、三方枠装置と略称する。）を示す正面図である。
この三方枠装置は、左右両側に立設された、第１の縦枠１及び第２の縦枠２と、第１の縦枠１及び第２の縦枠２の上部間で両者を連結して設けられた上枠３とを備え、乗場４とともに乗場出入口を形成している。
この第１の縦枠１には、乗場４にいるエレベータ利用者にかご（図示せず）の到着を報知する位置表示器５、利用者が乗場呼びを登録する乗場釦６が設けられている。
乗場出入口は、左右に移動して乗場出入口を開閉する戸７が設けられている。
【００１２】
図２は図１のＩＩ-ＩＩ線に沿った矢視断面図、図３は図２の扉部８が開いた状態を示す図、図４は図１のＩＶ-ＩＶ線に沿った矢視断面図、図５は図１の要部正面図である。
第１の縦枠１は、断面コ字状であって位置表示器５、乗場釦６が取付けられた扉部８と、この扉部８がヒンジ９を介して固定された第１の固定部１１と、この第１の固定部１１にネジ（図示せず）を用いて固定されているとともに、乗場壁１３に固定された第２の固定部１２とを備えている。
第２の固定部１２とともに上下方向に延びた第１の固定部１１は、中間部に開口部が形成されており、この開口部は、扉部８で塞がれる。この扉部８の内部では、位置表示器５、乗場釦６と接続された制御部（図示せず）が収納されている。
【００１３】
扉部８には、支点である軸１４で支持されているとともに軸１４を中心にシーソ回動する把手１５が設けられている。この把手１５は、短片部１７と、この短片部１７よりも細長の持ち手部１８とから構成されている。短片部１７の上縁部には、第２の固定部１２に設けられた突起１６が係止する切り欠き部１９が形成されている。
このＬの字形状の把手１５は、重心の位置が軸１４と離れており、外力が加わらないときには、自重により持ち手部１８の先端部が垂直方向に沿って指向している。
【００１４】
この実施の形態では、エレベータの保守点検時等で制御部を点検するとき、扉部８を開ける必要がある。
この扉部８が閉じた状態のときには、自重により持ち手部１８の先端部が垂直方向に沿って指向しており、持ち手部１８の切り欠き部１９は、第２の固定部１２の突起１６に係止している。
この状態から、切り欠き部１９の突起１６からの係止を解除するには、図６及び図７に示すように、鋼尺等の薄く、ある程度の長さのある治具２１を第２の固定部１２と扉部８との隙間から挿入し、治具２１の先端部を持ち手部１８の下端面に当接し、上方向に移動させる。
この治具２１の移動に伴い、把手１５は、図６の矢印Ａの方向に回動し、切り欠き部１９は突起１６から離れるとともに、持ち手部１８の先端部が、第２の固定部１２と扉部８との隙間から乗場４側に突出してくる。
持ち手部１８の先端部が、第２の固定部１２と扉部８との隙間から乗場４側に突出させた後は、保守作業員は、持ち手部１８を把持し、併せてヒンジ９を中心に扉部８を回動させることで、扉部８は開けられる。
この後、保守作業員は、エレベータの保守点検時等で制御部の保守、点検を行う。
【００１５】
扉部８を閉じる場合には、保守作業員は、持ち手部１８をほぼ水平方向に把持した状態で、扉部８を第１の固定部１１の開口部を覆う位置までヒンジ９を中心に回動させる。この後、保守作業員の手から持ち手部１８を離すと、その後は、把手１５は、自重で図４及び図５に示す状態に戻り、突起１６に切り欠き部１９が係止し、扉部８は閉じた状態が保持される。
【００１６】
上記実施の形態１のエレベータの三方枠装置によれば、扉部８が閉じた状態のときには、扉部８を閉じるための把手１５は、扉部８と第２の固定部１２との間の隙間に隠れており、外観からは見えにくいので、美観上優れているばかりでなく、いたずらによる破損を防止することができる。
また、扉部８を開ける際には、鍵などの特殊な治具ではなく、鋼尺などの平板状の治具２１があればよく、扉部８を簡単に開けることができる。
【００１７】
実施の形態２．
図８はこの発明の実施の形態２のエレベータの三方枠装置を示す要部断面図である。
この実施の形態では、扉部８には、扉部８に設けられた支点である軸１４Ａを中心にシーソ回動する把手１５Ａが設けられている。この把手１５Ａは、短片部１７Ａと、この短片部１７Ａよりも細長の持ち手部１８Ａとから構成されている。このＬの字形状の把手１５Ａは、重心の位置が軸１４Ａと離れており、外力が加わらないときには、自重により持ち手部１８Ａの先端部が垂直方向に沿って指向している。
把手１５Ａの上側には、扉部８から突出した軸３４に対して回動自在の第１の係止部材である第１の係止金具２３が設けられている。把手１５Ａの下側には、扉部８から突出した軸３５に対して回動自在の第２の係止部材である第２の係止金具３１が設けられている。
把手１５Ａと第１の係止金具２３とは、それぞれ軸２６，２７により第１のリンク２２を介して連結されている。把手１５Ａと第２の係止金具３１とは、それぞれ軸２９，３０により第１のリンク２８を介して連結されている。
【００１８】
第１の係止金具２３の上縁部には、第２の固定部１２Ａに設けられた第１の突起２５が係止する第１の切り欠き部２４が形成されている。
第２の係止金具３１の上縁部には、第２の固定部１２Ａに設けられた第２の突起３２が係止する切り第２の欠き部３３が形成されている。
他の構成は、実施の形態１の三方枠装置と同じである。
【００１９】
この実施の形態では、図１２に示すように、扉部８が閉じた状態のときには、自重により持ち手部１８Ａの先端部が垂直方向に沿って指向しており、第１のリンク２２及び第２のリンク２８も垂直方向に沿って起立している。
この状態のときには、第１の係止金具２３の第１の切り欠き部２４に第１の突起２５が係止しており、また第２の係止金具３１の第２の切り欠き部３３に第２の突起３２が係止している。
【００２０】
この状態から、切り欠き部２４，３３の突起２５，３２からの係止を解除するには、図１０及び図１１に示すように、治具２１を第２の固定部１２Ａと扉部８との隙間から挿入し、治具２１の先端部を持ち手部１８Ａの下端面に当接し、上方向に移動させる。
この治具２１の移動に伴い、把手１５Ａは、図１０の矢印Ｂの方向に回動する。
この把手１５Ａの回動に伴い、第１のリンク２２及び第２のリンク２８は互いに平行状態を保持して同じ方向に傾き、この傾きに連動して第１の係止金具２３は軸３４を中心に反時計方向に回動し、第２の係止金具３１も軸３５を中心に反時計方向に回動する。
この結果、切り欠き部２４，３３の突起２５，３２からの係止は解除される。
この解除とともに、持ち手部１８Ａの先端部が、第２の固定部１２Ａと扉部８との隙間から乗場４側に突出してくる。
持ち手部１８Ａの先端部が、第２の固定部１２Ａと扉部８との隙間から乗場４側に突出した後は、保守作業員は、持ち手部１８Ａを把持し、併せて図１３の矢印Ｃの方向に扉部８をヒンジ９を中心に回動させることで、扉部８は開けられる。
この後、保守作業員は、エレベータの保守点検時等で制御部の保守、点検を行う。
【００２１】
扉部８を閉じる場合には、保守作業員は、持ち手部１８Ａをほぼ水平方向に把持した状態で、扉部８を第１の固定部１１の開口部を覆う位置まで回動させる。この後、保守作業員の手から持ち手部１８Ａを離すと、その後は、把手１５Ａは、自重で図８及び図９に示す状態に戻り、第１の係止金具２３の第１の切り欠き部２４に第１の突起２５が係止し、また第２の係止金具３１の第２の切り欠き部３３に第２の突起３２が係止し、扉部８が閉じた状態が保持される。
【００２２】
この実施の形態の三方枠装置によれば、実施の形態１と同様に、扉部８が閉じた状態のときには、扉部８を閉じるための把手１５Ａは、扉部８と第２の固定部１２Ａとの間の隙間に隠れており、外観からは見えにくいので、美観上優れているばかりでなく、いたずらによる破損を防止することができる。
また、扉部８を開ける際には、鍵などの特殊な治具ではなく、鋼尺などの平板状の治具２１があればよく、扉部８を簡単に開けることができる。
さらに、この実施の形態によれば、扉部８は、第１及び第２の係止金具２３，３１を介して第２の固定部１２Ａに係止しており、ひねり、変形が生じやすい、縦寸法が大きな扉部８の場合であっても、係止箇所が２箇所に分散しており、それだけ扉部８のひねり、変形が生じにくく、また扉部８に対する外部からの力に対して変形しにくい。
なお、上記係止箇所を３箇所以上に分散させるように、係止金具、リンクを３個以上設けるようにしてもよい。また、把手１５Ａの上側または下側の何れか一方に係止金具、リンクを設けるようにしてもよい。
【００２３】
実施の形態３．
図１４はこの発明の実施の形態３のエレベータの三方枠装置を示す要部平断面図、図１５は図１４の側断面図、図１６は図１５の正面図である。
この実施の形態では、第１の固定部１１の開口部であって上下のそれぞれの裏面に断面Ｌ字形状の取付台４０が取付けられている。それぞれの取付台４０には、扉部８の上縁部及び下縁部の裏面のそれぞれの中央部と密接する永久磁石４１が取付けられている。
他の構成は、実施の形態１と同じである。
【００２４】
この実施の形態では、扉部８が閉じられたときには、第１の固定部１１に取付台４０を介して固定された永久磁石４１は、鋼板で構成された扉部８の裏面に密接している。
従って、扉部８は、第１の固定部１１の開口部を確実に覆い、かつ保持するともに、第１の固定部１１の表面と扉部８の表面との間では段差が生じにくいという効果もある。
なお、上記実施の形態では、第１の固定部１１の開口部を扉部８で覆い、かつ保持する保持手段は、取付台４０及び永久磁石４１で構成されたが、この保持手段に代わるものとして、例えば扉部の裏面に凸部を有する金具を取付け、第１の固定部にこの凸部に着脱可能な凹部を有する金具を取付けたものであってもよい。
【００２５】
なお、上記各実施の形態の支点である軸１４，１４Ａでは、扉部８から突出した軸部に把手１５，１５Ａが回転自在に設けられていたが、扉部に凹部を形成し、この凹部に把手からの突起が回動可能に嵌入したものであってもよい。
また、実施の形態１，３では、第２の固定部１２に設けられた突起１６に把手１５の切り欠き部１９が係止しているが、この切り欠き部１９が第１の固定部に設けられた突起に
係止するようにしてもよい。
また、同様に、実施の形態２では、第２の固定部１２Ａに設けられた突起２５，３２に把手１５Ａの第１及び第２の切り欠き部２４，３３が係止しているが、この切り欠き部２４，３３が第１の固定部に設けられた突起に係止するようにしてもよい。
【符号の説明】
【００２６】
１第１の縦枠、２  第２の縦枠、３  上枠、４  乗場、７  戸、８  扉部、１１  第１の固定部、１２，１２Ａ  第２の固定部、１３  乗場壁、１４，１４Ａ  軸（支点）、１５，１５Ａ  把手、１６  突起、１７，１７Ａ  短片部、１８，１８Ａ  持ち手部、１９  切り欠き部、２１  治具、２２  第１のリンク、２３  第１の係止金具（第１の係止部材）、２４  第１の切り欠き部、２５  第１の突起、２６，２７，２９，３０，３４，３５  軸、２８  第２のリンク、３１  第２の係止金具（第２の係止部材）、３２  第２の突起、３３  第２の切り欠き部、４０  取付台（保持手段）、４１  永久磁石（保持手段）。
【図１】
2012035985.tif 000003
【図２】
2012035985.tif 000004
【図３】
2012035985.tif 000005
【図４】
2012035985.tif 000006
【図５】
2012035985.tif 000007
【図６】
2012035985.tif 000008
【図７】
2012035985.tif 000009
【図８】
2012035985.tif 000010
【図９】
2012035985.tif 000011
【図１０】
2012035985.tif 000012
【図１１】
2012035985.tif 000013
【図１２】
2012035985.tif 000014
【図１３】
2012035985.tif 000015
【図１４】
2012035985.tif 000016
【図１５】
2012035985.tif 000017
【図１６】
2012035985.tif 000018